(57)【特許請求の範囲】
【請求項１】
ケース本体（１１、２１）と、前記ケース本体の中央部に取り付けられてディスク（５０）の保持孔（５１）に保持突起（１７、２７）を係止し前記ディスクを前記ケース本体内に保持するディスク保持部材（１４、２４）とを備えたディスク用紙製収納ケースにおいて、前記保持突起は、スリット（１６）を介して周方向に並び、前記保持部材は、水溶性樹脂により形成され、前記保持突起の最大径ｄ１と最小径ｄ２は、前記保持孔の内径ｄに対して、絶乾状態において、
ｄ＋０．２ｍｍ≦ｄ１≦ｄ＋０．８ｍｍ
ｄ−０．３ｍｍ≦ｄ２≦ｄ＋０．１ｍｍ
好ましくは、
ｄ＋０．３ｍｍ≦ｄ１≦ｄ＋０．６ｍｍ
ｄ−０．２ｍｍ≦ｄ２≦ｄ
となるように設定され、
前記保持部材は、前記ケース本体に穿設された取付孔（１１ａ、２１ａ）に嵌合する嵌合部（１８、２８）と、前記嵌合部よりも大径に形成された大径部（１９、２９）とを備え、前記嵌合部（２８）の最大径Ｄ１と最小径Ｄ２は、前記取付孔（２１ａ）の内径Ｄに対して、絶乾状態において、
Ｄ＜Ｄ１≦Ｄ＋０．３ｍｍ
Ｄ−０．６ｍｍ≦Ｄ２≦Ｄ−０．２ｍｍ
好ましくは、
Ｄ＋０．０５ｍｍ≦Ｄ１≦Ｄ＋０．２５ｍｍ
Ｄ−０．４ｍｍ≦Ｄ２≦Ｄ−０．２ｍｍ
となるように設定されることを特徴とするディスク用紙製収納ケース。
【請求項２】
前記保持部材は、前記ケース本体に水又は接着剤で貼着されることを特徴とする、請求項１に記載のディスク用紙製収納ケース。
【請求項３】
前記保持突起は外周にテーパ面を有することを特徴とする、請求項１又は２に記載のディスク用紙製収納ケース。
【請求項４】
前記水溶性樹脂は、熱可塑性樹脂から成ることを特徴とする、請求項１ないし３のいずれか１つに記載のディスク用紙製収納ケース。
【請求項５】
前記熱可塑性樹脂は、変性ポリビニルアルコールから成ることを特徴とする、請求項４に記載のディスク用紙製収納ケース。
【発明の詳細な説明】
【０００１】
【発明の属する技術分野】
本発明は、コンパクトディスク、ミニディスク等を収納するためのディスク用紙製収納ケース、特に、ケース本体とディスク保持部材とを備えたディスク用紙製収納ケースに関する。
【０００２】
【従来の技術】
コンパクトディスク、ミニディスク等を収納するためのディスク用紙製収納ケースであって、ケース本体とディスク保持部材とを備えたものは、紙製のケース本体の中央部に取り付けられた保持部材がディスクの保持孔に係止して、ディスクをケース本体内に保持する。従来のディスク用紙製収納ケースでは、この保持部材が、例えば、ポリプロピレン等の非水溶性樹脂により成形される。
【０００３】
【発明が解決しようとする課題】
近年、廃棄される紙製用具等は、リサイクル処理により再生紙として利用される。しかしながら、上述した従来のディスク用紙製収納ケースは、保持部材が、例えば、ポリプロピレン等の非水溶性樹脂により形成されるため、リサイクル処理時に、この保持部材だけを人手をかけてケース本体からいちいち取り外さなければならず、ディスク用紙製収納ケースのリサイクル処理を難しくしているという問題がある。
【０００４】
本発明はこのような問題を解決するためになされたもので、ディスク用紙製収納ケースのリサイクル処理時にケース本体から保持部材を取り外す必要がなく、リサイクル処理を極めて容易にすることができるディスク用紙製収納ケースを提供することを課題とする。
【０００５】
【課題を解決するための手段】
上述の課題を解決するために、本発明が採用する手段は、ケース本体と、ケース本体の中央部に取り付けられてディスクの保持孔に係止しディスクをケース本体内に保持するディスク保持部材とを備えたディスク用紙製収納ケースにおいて、この保持部材は、水溶性樹脂により形成されることにある。本手段により、ディスク用紙製収納ケースのリサイクル処理時に、保持部材をケース本体から取り外さずにそのまま処理できるようにする。この水溶性樹脂としては、例えば、変性ポリビニルアルコール、ポリエチレンオキサイド、アルキレンオキサイド共重合体、これらの混合体等を使用することができ、さらに可塑剤、着色剤、無機充填剤等の添加剤を加えてもよい。  好ましくは、この水溶性樹脂は、熱可塑性樹脂から成る。これにより、保持部材を射出成形により一体成型できるようにする。例えば、この熱可塑性樹脂は、変性ポリビニルアルコールから成る。
【０００６】
非水溶性樹脂は、湿度による寸法の変化は無視できるが、水溶性樹脂は、一般に湿度による寸法変化が比較的大きく、無視することはできない。したがって、水溶性樹脂で形成された保持部材をディスクの保持孔又はケース本体の取付孔に嵌め合いのみにより取り付ける場合には、この嵌め合い寸法が極めて重要になる。このため、保持部材は、絶乾状態において、ディスクを保持する保持突起については、弾性変形も考慮してその最大径ｄ１と最小径ｄ２が、保持孔の内径ｄに対して、ｄ＋０．２ｍｍ≦ｄ１≦ｄ＋０．８ｍｍ、ｄ−０．３ｍｍ≦ｄ２≦ｄ＋０．１ｍｍ、好ましくは、ｄ＋０．３ｍｍ≦ｄ１≦ｄ＋０．６ｍｍ、ｄ−０．２ｍｍ≦ｄ２≦ｄとなるように設定する。又、ケース本体の取付孔に嵌める嵌合部の最大径Ｄ１と最小径Ｄ２は、取付孔の内径Ｄに対して、Ｄ＜Ｄ１≦Ｄ＋０．３ｍｍ、Ｄ−０．６ｍｍ≦Ｄ２≦Ｄ−０．２ｍｍ、好ましくは、Ｄ＋０．０５ｍｍ≦Ｄ１≦Ｄ＋０．２５ｍｍ、Ｄ−０．４ｍｍ≦Ｄ２≦Ｄ−０．２ｍｍとなるように設定する。これにより、湿度が極端に低下したときも、保持部材がディスクの保持孔又はケース本体の取付孔から脱落するおそれはなく、湿度が１００％近くに達したときも、嵌め合いにより保持部材はディスクの保持孔又はケース本体の取付孔に取り付けができる。
【０００７】
上記保持部材は、ケース本体に水で貼着することができるが、必要であれば、ケース本体に接着剤で貼着してもよい。
【０００８】
【発明の実施の形態】
本発明に係るディスク用紙製収納ケースの第１実施例を、図１ないし図３を参照して詳細に説明する。
【０００９】
図１に示すように、本ディスク用紙製収納ケースは、一例としてコンパクトディスク収納用のケースを示し、紙製のケース本体１とディスク保持部材４と紙製のカバー部材２とから成る。ケース本体１は、コンパクトディスクを収納するための凹部３を有し、中央部に保持部材４が取り付けられる。この保持部材４は、水溶性樹脂から成り、例えば、変性ポリビニルアルコールを主成分とする熱可塑性樹脂等から射出成形により一体成型される。
【００１０】
図２に示すように、保持部材４は、内側に６つのスリット６が等間隔に設けられた中抜き円盤状の基板部５を有し、６つの保持突起７が各スリット６間に立設される。この実施例の各保持突起７は先端が薄肉の中央円板９を介して連結するが、先端は自由端としてもよい。
【００１１】
図３に示すように、基板部５をケース本体１の凹部３側の中央部に水で貼着して、保持部材４をケース本体１に固定する。保持部材４は、水溶性樹脂により形成されているから、基板部５の貼着面５ａを水で濡らすことによりその一部が溶けて、紙製のケース本体１に貼着される。カバー部材２を、ケース本体１の外側に貼着する。
【００１２】
コンパクトディスク５０の保持孔５１を、保持部材４の保持突起７に嵌合してコンパクトディスク５０をケース本体１に係止する。湿度による寸法変化の大きい水溶性樹脂の保持部材４にコンパクトディスク５０を確実に係止するため、絶乾状態において、保持突起７の最大径ｄ１と最小径ｄ２が、保持孔５１の内径ｄに対して、ｄ＋０．２ｍｍ≦ｄ１≦ｄ＋０．８ｍｍ、ｄ−０．３ｍｍ≦ｄ２≦ｄ＋０．１ｍｍ、好ましくは、ｄ＋０．３ｍｍ≦ｄ１≦ｄ＋０．６ｍｍ、ｄ−０．２ｍｍ≦ｄ２≦ｄとなるように設定する。
【００１３】
保持突起７の外周に上が先細りのテーパ面８を形成すると、コンパクトディスク５０の保持孔５１を、保持突起７に容易に嵌合することができる。
【００１４】
このディスク用紙製収納ケースをリサイクル処理するときは、保持部材４をケース本体１から取り外さずに、ケース本体１及びカバー部材２と一緒にリサイクル処理する。このように、リサイクル処理時に、保持部材４をケース本体１からいちいち取り外す必要がないから、リサイクル処理が極めて容易になる。
【００１５】
なお、上述した保持部材４は水溶性樹脂により形成されているから、その特性を利用してケース本体１に水で貼着したが、固定方法はこれに限定されるものではなく様々な方法が考えられる。また、上述したディスク用紙製収納ケースはカバー部材付きのものであったが、カバー部材が無く、ケース本体のみから成るものであってもよい。さらに、上述したディスク用紙製収納ケースは、一例としてコンパクトディスク用のものを示したが、ミニディスク等の他の種類のディスク用のものであってもよい。
【００１６】
【実施例】
図４に、第２実施例のディスク用紙製収納ケースを示す。
ケース本体１１は紙製であり、中央部に保持部材１４を取り付けるための取付孔１１ａを有する。保持部材１４は、内側に６つのスリット１６が等間隔に設けられた中抜き円盤状の基板部１５を有し、６つの保持突起１７が各スリット１６間に立設される。また、基板部１５は、ケース本体１１の取付孔１１ａに嵌合する嵌合部１８と、嵌合部１８よりも大径に形成された大径部１９とを有する。保持部材１４は、水溶性樹脂から成り、例えば、変性ポリビニルアルコールを主成分とする熱可塑性樹脂等から射出成形により一体成型される。
【００１７】
この保持部材１４の嵌合部１８の外周面及び大径部１９のケース本体１１との接合面とを水で濡らす。嵌合部１８をケース本体１１の取付孔１１ａに、ケース本体１１の凹部１３の反対側から嵌合し、大径部１９をケース本体１１の取付孔１１ａの外縁部に係止させる。保持部材１４は、水溶性樹脂により形成されているから、嵌合部１８の外周面等を水で濡らすことによりその一部が溶けて、紙製のケース本体１１に貼着される。上記以外については、第１実施例のディスク用紙製収納ケースと同様である。
【００１８】
図５に、第３実施例のディスク用紙製収納ケースを示す。
ケース本体２１は紙製であり、中央部に保持部材２４を取り付けるための取付孔２１ａを有する。保持部材２４は、内側に６つのスリット２６が等間隔に設けられた中抜き円盤状の基板部２５を有し、６つの保持突起２７が各スリット２６間に立設される。基板部２５は、ケース本体２１の取付孔２１ａに嵌合する嵌合部２８と、嵌合部２８よりも大径に形成された大径部２９とを有する。図６に示すように、嵌合部２８の係止部３０は、ケース本体２１の取付孔２１ａの内径Ｄに対して、最大径Ｄ１と最小径Ｄ２が、絶乾状態において、Ｄ＜Ｄ１≦Ｄ＋０．３ｍｍ、Ｄ−０．６ｍｍ≦Ｄ２≦Ｄ−０．２ｍｍ、好ましくは、Ｄ＋０．０５ｍｍ≦Ｄ１≦Ｄ＋０．２５ｍｍ、Ｄ−０．４ｍｍ≦Ｄ２≦Ｄ−０．２ｍｍとなるように形成される。
【００１９】
保持部材２４は、水溶性樹脂から成り、例えば、変性ポリビニルアルコールを主成分とする熱可塑性樹脂等から射出成形により一体成型される。この水溶性樹脂は、一般に湿度による寸法変化が大きく、湿度が高いときは膨張し、湿度が低いときは収縮する。このため、上述したＤ１及びＤ２は、相対湿度が０％近くになったときにも、保持部材２４がケース本体２１の取付孔２１ａから脱落するおそれがないように設定され、逆に、湿度が１００％近くになったときにも、嵌合部２８を取付孔２１ａに嵌め込むことができるように設定される。
【００２０】
図５に示すように、保持部材２４の係止部３０をケース本体２１の取付孔２１ａに、ケース本体２１の凹部２３の反対側から押し込むと、図６に示すように、取付孔２１ａの内径Ｄより大きい最大径Ｄ１を有する係止部３０は、保持部材２４が弾性変形することにより取付孔２１ａを通過して、ケース本体２１の取付孔２１ａの外縁部に係止する。このとき、大径部２９がケース本体２１の取付孔２１ａの外縁部に係止する。このように、保持部材２４の嵌合部２８がケース本体２１の取付孔２１ａに嵌合すると共に、係止部３０及び大径部２９が取付孔２１ａの外縁部に両側から係止することにより、保持部材２４がケース本体２１に取り付けられる。上述したように、嵌合部２８の最大径Ｄ１及び最小径Ｄ２は、湿度の変化の影響を考慮して設定されているので、湿度が極端に低下した場合にも保持部材２４がケース本体２１から脱落するおそれがない一方、湿度が１００％近くに達した場合にも嵌め合いによる取り付けが可能である。
【００２１】
なお、上述したディスク用紙製収納ケースにおいて、嵌合部２８及び大径部２９をケース本体２１に、水で貼着して固定することもできる。また、図６に示すように、本ディスク用紙製収納ケースでは、係止部３０を嵌合部２８に段付き状に設けることにより、嵌合部２８に最大径Ｄ１と最小径Ｄ２とを形成したが、これに限定されるものではなく、嵌合部２８の外径を軸方向にテーパ状に変化させて最大径と最小径とを形成してもよい。上記以外については、第１実施例のディスク用紙製収納ケースと同様である。
【００２２】
【発明の効果】
以上詳細に説明したように、本発明のディスク用紙製収納ケースは、ケース本体と、ケース本体の中央部に取り付けられてディスクの保持孔に係止しディスクをケース本体内に保持するディスク保持部材とを備えたディスク用紙製収納ケースにおいて、この保持部材は、水溶性樹脂により形成される。従って、ディスク用紙製収納ケースのリサイクル処理時に、保持部材をケースから取り外さずにそのまま処理することができ、リサイクル処理が極めて容易になるという優れた効果を奏する。
【図面の簡単な説明】
【図１】本発明に係るディスク用紙製収納ケースの第１実施例を示す斜視図である。
【図２】図１の保持部材を示す平面図である。
【図３】図２の切断線Ａ−Ａから見た保持部材を示す断面図である。
【図４】本発明に係るディスク用紙製収納ケースの第２実施例を示す断面図である。
【図５】本発明に係るディスク用紙製収納ケースの第３実施例を示す断面図である。
【図６】図５のケース本体及び保持部材の詳細形状を、一部を断面で示す正面図である。
【符号の説明】
１  ケース本体、２  カバー部材、３  凹部、４  保持部材、５  基板部、５ａ  貼着面、６  スリット、７  保持突起、８  テーパ面、９  中央円板、１１ケース本体、１１ａ  取付孔、１３  凹部、１４  保持部材、１５  基板部、１６  スリット、１７  保持突起、１８  嵌合部、１９  大径部、２１  ケース本体、２１ａ  取付孔、２３、凹部、２４  保持部材、２５  基板部、２６  スリット、２７  保持突起、２８  嵌合部、２９  大径部、３０  係止部、５０  コンパクトディスク、５１  保持孔、Ｄ  内径、Ｄ１  最大径、Ｄ２  最小径、ｄ  内径、ｄ１  最大径、ｄ２  最小径
【図１】
0004019609.tif 000002
【図２】
0004019609.tif 000003
【図３】
0004019609.tif 000004
【図４】
0004019609.tif 000005
【図５】
0004019609.tif 000006
【図６】
0004019609.tif 000007